(57)【要約】【課題】無線通信接続を確立するための認証コードの入力操作を容易に行える無線通信機器を提供する。【解決手段】ワイヤレスヘッドホン１、オーディオプレーヤ２には圧力センサー部１４１、１４２が備えられる。圧力センサー部１４１および１４２は、圧力を数値として出力が可能となっており、それぞれに同じ圧力が加えられた場合には、同じ数値が出力されるものとする。よって圧力センサー部お互いに押し付けた場合には、それぞれの圧力センサー部は同じ数値を出力することになり、この出力値を、無線通信を確立するための認証コードとして用いる。  【選択図】  図９
2007102373.tif 000002
【特許請求の範囲】
【請求項１】
他の機器との無線通信を行う無線部と、
他の機器との無線通信を確立する際に、無線部を介して認証処理を行う認証部と、
前記認証部の認証処理に用いる認証コードを格納するメモリと、
前記他の機器と接触動作が可能な圧力センサと、
この圧力センサを前記他の機器との接触させた時に検出した検出値を、前記認証コードに変換して前記メモリに格納する符号化処理部と、
を具備したことを特徴とする無線通信機器。
【請求項２】
他の機器との無線通信を行う無線部と、
他の機器との無線通信を確立する際に、無線部を介して認証処理を行う認証部と、
前記認証部の認証処理に用いる認証コードを格納するメモリと、
使用者固有の情報を得るための生体情報取得部と、
この生体情報取得部で取得して生体情報を前記認証コードに変換して前記メモリに格納する符号化処理部と、
を具備したことを特徴とする無線通信機器。
【請求項３】
前記符号化処理部は、前記生体情報取得部で取得した生体情報を、Ｂｕｌｕｅｔｏｏｔｈ方式の無線通信で用いられるＰＩＮコードに変換することを特徴とする
請求項１記載の無線通信機器。
【請求項４】
音楽コンテンツを格納する記憶装置と、
前記記憶装置に記憶された音楽コンテンツを再生する再生部と、
再生された音声データを、ヘッドホンに対して無線出力する無線部と、
前記ヘッドホンとの無線通信を確立する際に、無線部を介して認証処理を行う認証部と、
前記認証部の認証処理に用いる認証コードを格納するメモリと、
前記ヘッドホンとの接触動作が可能な圧力センサと、
この圧力センサを前記ヘッドホンとの接触させた時に検出した検出値を、前記認証コードに変換して前記メモリに格納する符号化処理部と、
を具備したことを特徴とする無線通信機器。
【請求項５】
音楽コンテンツを格納する記憶装置と、
前記記憶装置に記憶された音楽コンテンツを再生する再生部と、
再生された音声データを、ヘッドホンに対して無線出力する無線部と、
前記ヘッドホンとの無線接続を確立する際に、前記無線部を介して認証処理を行う認証部と、
前記認証部の認証処理に用いる認証コードを格納するメモリと、
使用者固有の情報を得るための指紋読み取り部と、
この指紋読み取り部で取得して指紋情報を前記認証コードに変換して前記メモリに格納する符号化処理部と、
を具備したことを特徴とする音楽再生装置。
【発明の詳細な説明】
【技術分野】
【０００１】
本発明は、他の機器と無線通信が可能な無線通信機器に関し、特に無線通信を確立するための前もって認証処理が必要な無線通信機器の認証処理方法に関するものである。
【背景技術】
【０００２】
従来より、無線通信機器は相手方の機器との間で、通信を行う場合には両者の認証を必要とする。この時、Bluetooth規格に基づく無線通信の場合、使用者がＰＩＮ（個人識別番号）
を両方の無線通信機器に対して直接入力することにより両者を無線接続するための認証キーを作成する。
【特許文献１】特開２００３−１７９６０９号公報（図１）
【発明の開示】
【発明が解決しようとする課題】
【０００３】
しかし、上述したようなＰＩＮコードは、文字や数字を入力する必要があるため、入力手段に乏しい携帯型の機器では入力操作が煩雑となってしまう。また文字や数字を入力する際に、入力ミスをしたり、他人から見られたりする場合があり、セキュリティ上の課題があった。
【０００４】
そこで、上述した課題を解決するため、無線通信接続を確立するための認証コードの入力操作を容易に行える無線通信機器を提供することを目的とするものである。
【課題を解決するための手段】
【０００５】
本発明は上述したような課題を解決するため、他の機器との無線通信を行う無線部と、他の機器との無線通信を確立する際に、無線部を介して認証処理を行う認証部と、前記認証部の認証処理に用いる認証コードを格納するメモリと、前記他の機器と接触動作が可能な圧力センサと、この圧力センサを前記他の機器との接触させた時に検出した検出値を、前記認証コードに変換して前記メモリに格納する符号化処理部とを具備したものである。
【０００６】
また、本発明は上述した課題を解決するため、他の機器との無線通信を行う無線部と、他の機器との無線通信を確立する際に、無線部を介して認証処理を行う認証部と、前記認証部の認証処理に用いる認証コードを格納するメモリと、使用者固有の情報を得るための生体情報取得部と、この生体情報取得部で取得して生体情報を前記認証コードに変換して前記メモリに格納する符号化処理部とを具備したものである。
【０００７】
また本発明は上述した課題を解決するため、音楽コンテンツを格納する記憶装置と、前記記憶装置に記憶された音楽コンテンツを再生する再生部と、再生された音声データを、ヘッドホンに対して無線出力する無線部と、前記ヘッドホンとの無線通信を確立する際に、無線部を介して認証処理を行う認証部と、前記認証部の認証処理に用いる認証コードを格納するメモリと、前記ヘッドホンとの接触動作が可能な圧力センサと、この圧力センサを前記ヘッドホンとの接触させた時に検出した検出値を、前記認証コードに変換して前記メモリに格納する符号化処理部とを具備したものである。
【０００８】
また本発明は上述した課題を解決するため、音楽コンテンツを格納する記憶装置と、前記記憶装置に記憶された音楽コンテンツを再生する再生部と、再生された音声データを、ヘッドホンに対して無線出力する無線部と、前記ヘッドホンとの無線接続を確立する際に、前記無線部を介して認証処理を行う認証部と、前記認証部の認証処理に用いる認証コードを格納するメモリと、使用者固有の情報を得るための指紋読み取り部と、この指紋読み取り部で取得して指紋情報を前記認証コードに変換して前記メモリに格納する符号化処理部とを具備したものである。
【発明の効果】
【０００９】
無線通信接続を確立するための認証コードの入力操作を容易に行うことができる。
【発明を実施するための最良の形態】
【００１０】
以下、本発明における一実施形態について図面を用いて説明する。
【００１１】
図１は、本実施形態におけるオーディオプレーヤとワイヤレスヘッドホンのシステム構成を示す概念図である。ワイヤレスヘッドホン１とオーディオプレーヤ２は、BluetoothのプロファイルであるA２DP(Advanced Audio Distribution Profile)に従って音声データの送受信を行う。つまりオーディオプレーヤ２からトランスポートチャネルを使ってストリーミングにより送信される音声データを、ワイヤレスヘッドホン１にて受信することでワイヤレスヘッドホン１で音声データを再生することが出来る。
【００１２】
また、AVRCP(Audio/Video Remote Control Profile)に従い、ワイヤレスヘッドホン２に具備されているボタンの操作に基づく制御信号をオーディオプレーヤ１に送信することによりオーディオプレーヤ１の再生制御を行うものである。
【００１３】
このようなシステム構成において、本実施形態の特徴は、オーディオプレーヤ、ワイヤレスヘッドホンの両装置間のBuluetooth接続構築に伴う認証処理を行う際必要なＰＩＮ入力を簡単化するために、双方の装置における生体情報取得結果を符号化したものをＰＩＮコードに用いるものである。
【００１４】
以下、本実施形態の特徴を各装置の構成および動作フローチャートを用いながら説明していく。
【００１５】
図２は、本実施形態におけるワイヤレスヘッドホン１の概念図である。ワイヤレスヘッドホン１は、音を出力するための左耳用スピーカユニット１０１、右耳用スピーカユニット１０２、無線通信を行うためのアンテナ１０４、頭部に装着する際に使用するヘッドバンド１０３、ユーザによる操作を入力する入力部１０５、生体情報取得を行うための生体情報取得部１０６、接続状態等をユーザに通知するためのLEDのような表示部１０７から構成される。なお、これはあくまでも実現方法の一例であり、形状や各装置の位置や数が必ずしもこのようなものである必要は無い。
【００１６】
図３は、オーディオプレーヤ２の概念図である。オーディオプレーヤ２は、無線通信を行うためのアンテナ１２０、有線のヘッドホンを接続するためのヘッドホンジャック１２１、各種情報表示を行う表示部１２２、ユーザによる各種操作を行わせるための入力部１２３、生体情報取得を行うための生体情報取得部１３０から構成される。なお、これはあくまでも実現方法の一例であり、形状や各装置の位置や数が必ずしもこのようなものである必要は無い。
【００１７】
図４は、ワイヤレスヘッドホン１のシステム構成図である。ワイヤレスヘッドホン１はスピーカユニット１０１，１０２、入力部１０５、生体情報取得部１０６、表示部１０７、システム制御部１０８、メモリ１０９、Bluetooth無線部１１０、音声出力部１１１、電源部１１２を備えている。
【００１８】
システム制御部１０８はワイヤレスヘッドホン１の動作を制御するために設けられたプロセッサであり、メモリ１０９に格納されたプログラムを実行することにより、入力部１０５、生体情報取得部１０６、表示部１０７、Bluetooth無線部１１０、音声出力部１１１および電源部１１２をそれぞれ制御する。
【００１９】
メモリ１０９は例えば不揮発性のメモリデバイスから構成されており、ここには、ワイヤレスヘッドホン１の動作を制御するためのプログラムが格納されている。このプログラムには、A２DPおよびAVRCPの機能および、後述する生体情報取得処理をシステム制御部１０８に実行させるためのルーチンなどが含まれている。
【００２０】
Bluetooth無線部１１０は、オーディオプレーヤ２との間の無線通信をBluetoothの規格に準拠した手順で実行するデバイスであり、ベースバンド処理部およびＲＦ部を備えている。
【００２１】
音声出力部１１１は、オーディオプレーヤ２からストリーミングで送信される音声をBluetooth無線部１１０およびシステム制御部１０８を介して受信しながら、それをスピーカユニット１０１，１０２から音として出力可能な電気信号に変換する処理を実行する。
【００２２】
生体情報取得部１０６は、生体情報取得を行うモジュールであり、ここでは指紋認証を行うモジュールとする。生体情報取得部１０６では、ユーザの指紋を読み取り、読み取った結果のデータをシステム制御部１０８が取り込むことが可能となっている。なお、生体情報取得部１０６は、システム制御部１０８で実行されるプログラムにより、生体情報取得以外にも、入力部１０５のような機能も兼ね備えることが可能なものとする。
【００２３】
図５は、オーディオプレーヤ２のシステム構成図である。音を出力するための音声出力部１２８と、有線のヘッドホンを接続するためのヘッドホン端子１２１と、各種情報表示のための表示部１２２と、ユーザによる操作を行わせるための入力部１２３が設けられている。
【００２４】
さらにBluetoothによる通信を行うためのBluetooth無線部１２６と、オーディオプレーヤとして機能するためのプログラムや各種データの保持および、プログラム動作時の作業領域としてのメモリ１２５と、音楽データを保持するＨＤＤ１２７と、電源を供給するための電源部１２９と、オーディオプレーヤ２として動作させるためのプログラムの実行と制御を行うシステム制御部１２４と、生体情報取得部１３０から構成される。
【００２５】
生体情報取得部１３０は、生体情報取得を行うモジュールであり、ここでは指紋認証を行うモジュールとする。生体情報取得部１３０では、ユーザの指紋を読み取り、読み取った結果のデータをシステム制御部１２４が取り込むことが可能となっている。なお、生体情報取得部１３０は、システム制御部１２４で実行されるプログラムにより、生体情報取得以外にも、入力部１２３のような機能も兼ね備えることが可能なものとする。なお、生体情報取得部１３０は、ワイヤレスヘッドホン１が具備する生体情報取得部１０６と同一のものもしくは、同じ指紋を読み取った際に同じデータが出力されるものであるものとする。
【００２６】
図６は、Bluetooth接続時の認証シーケンス図である。ワイヤレスヘッドホン１のBluetooth無線部１１０とオーディオプレーヤ２のBluetooth無線部１２６がBluetoothの接続を行う際に認証が必要な場合にこの図のシーケンスで認証が実行される。
【００２７】
まず、ユーザがオーディオプレーヤ２の入力部１２３および表示部１２２により、ワイヤレスヘッドホン１への接続開始の指示を行う(ステップS１)。次にオーディオプレーヤ２の無線部は、ワイヤレスヘッドホン１の無線部に対する接続要求を出力する(ステップS２)。そして、ワイヤレスヘッドホン１の無線部はBluetooth接続の開始にあたり認証が必要であるためにオーディオプレーヤ２に対して認証要求を出力する(ステップS３)。
【００２８】
次にオーディオプレーヤ２はUI部に対して認証のためのＰＩＮ入力要求を行う(ステップS４)。次にUI部は、後述する生体情報取得処理を起動しその結果をＰＩＮ入力応答として無線部に出力する(ステップS５)。無線部はステップS３での認証要求に対する応答をステップS５のＰＩＮ入力応答を用いて行うと共に、ワイヤレスヘッドホンに対して認証要求を出力する（ステップS６)。次にワイヤレスヘッドホン１はUI部に対して認証のためのＰＩＮ入力要求を行う(ステップS７)。
【００２９】
次にUI部は、後述する生体情報取得処理を起動しその結果をＰＩＮ入力応答として無線部に出力する(S８)。次に無線部は、S６の認証要求に対する応答をS８のＰＩＮ入力応答を用いて行う。この手順により無線接続の認証が完了することで、無線接続が完了し無線通信が可能な状態となる(S１０)。なお、ワイヤレスヘッドホン１およびオーディオプレーヤ２で実行される生体情報取得処理においては、ユーザはそれぞれの機器に対し図７に示すように生体情報取得を行う場合の図で示すように同じ指を使って行うものとする。
【００３０】
図７は、生体情報取得を行う場合の図で、後述する生体情報取得処理が起動された場合に、ユーザはワイヤレスヘッドホン１の生体情報取得部１０６および、オーディオプレーヤ２の生体情報取得部１３０のそれぞれに対し同じ指を使って指紋を読み込ませるものとする。
【００３１】
図８は、生体情報取得処理のフロー図である。処理が開始されるとまず、ユーザに対して生体情報取得処理が開始されたことを通知する(ステップS１０)。通知は、ワイヤレスヘッドホン１の場合であれば表示部１０７にて行われ、オーディオプレーヤ２の場合であれば表示部１２２にて行われる。
【００３２】
次に、ユーザによる指紋を読み込ませる動作により指紋の読み取りが完了したかを判断する(ステップS１１)。ここで指紋の読み取りが完了するまで待ち状態(ステップS１１のNO)となるが、一定時間内に完了しない場合にはタイムアウトとなり認証処理は終了する(ステップS１１のtimeout)。指紋の読み取りが完了すると(ステップS１１のYES)、指紋の読み取り結果のデータを用いて符号化処理を行う(ステップS１２)。符号化処理ではBluetoothのＰＩＮコードの最大桁以下の符号化データが生成される。
【００３３】
最後に符号化されたデータはＰＩＮコードとして処理結果として返され(ステップS１３)、本処理が終了する。なお本処理は、ステップS１０の通知処理を除いてはワイヤレスヘッドホン１およびオーディオプレーヤ２のそれぞれで同一の処理が行われるものとする。
【００３４】
図９は、生体情報取得部を圧力センサー部に置き換えた場合の実施例である。
【００３５】
ワイヤレスヘッドホン１には、生体情報取得部１０６の代わりに、圧力センサー部１４１が備えられる。また、オーディオプレーヤ２には、生体情報取得部１３０の変わりに、圧力センサー部１４２が備えられる。圧力センサー部１４１および１４２は、圧力を数値として出力が可能となっており、それぞれに同じ圧力が加えられた場合には、同じ数値が出力されるものとする。よって図に示すように圧力センサー部１４１と圧力センサー部１４２をお互いに押し付けた場合には、それぞれの圧力センサー部は同じ数値を出力することになる。
【００３６】
なお、圧力センサーによって出力される圧力の数値はBluetoothのＰＩＮ入力の有効桁で示される範囲で変化するような数値が出力されるように調整が可能なものとする。
【００３７】
図１０は、圧力センサーを用いた場合の接続時の認証処理シーケンス図である。基本的なシーケンスは図６の生体情報取得を用いた場合の接続時の処理シーケンスと同様である。異なる処理は、ステップS２の接続要求後にワイヤレスヘッドホン１にて、後述する圧力値取得処理が起動されるステップS２０１ところにある。その後、オーディオプレーヤ１におけるＰＩＮ入力要求(ステップS４)によってオーディオプレーヤ１において圧力値取得処理が起動されると、ユーザは図９に示すようにそれぞれの圧力センサー部同士を押し付けることにより、圧力値取得処理によりそれぞれに同じ数値のＰＩＮコードが出力されることになる。そのため接続の認証に成功し、Bluetoothの接続が完了しデータ通信が可能な状態となる。
【００３８】
図１１は、圧力値取得処理のフロー図である。
【００３９】
処理が開始されるとまず、ユーザに対して圧力値取得処理が開始されたことを通知する(ステップS２０)。通知は、ワイヤレスヘッドホン１の場合であれば表示部１０７にて行われ、オーディオプレーヤ２の場合であれば表示部１２２にて行われる。
【００４０】
次に、圧力値の読み取りが完了したかを判断する(ステップS１１)。ここで圧力値の読み取りが完了するまで待ち状態(ステップS２１のNO)となるが、一定時間内に完了しない場合にはタイムアウトとなり処理は終了する(ステップS２１のtimeout)。ここでユーザは、ワイヤレスヘッドホン１とオーディオプレーヤ２の双方で圧力値取得処理が開始されたことを認知し、図９に示すようにそれぞれの圧力センサー部同士を押し付ける。
【００４１】
その操作により圧力値取得が完了すると(ステップS２１のYES)、圧力値を読み取った数値をＰＩＮコードとして処理結果として返し(ステップS２２)、本処理が終了する。なお本処理は、S２０の通知処理を除いてはワイヤレスヘッドホン１およびオーディオプレーヤ２のそれぞれで同一の処理が行われるものとする。
【００４２】
なお、前述した実施例では、オーディオプレーヤとワイヤレスヘッドホンの構成を用いたが、Bluetoothのような無線通信接続のようにそれぞれの無線装置でＰＩＮコードの入力を行うことにより認証を行わせる手法を用いている無線通信装置を備えた、例えばPCや携帯電話やカーナビといった機器に対しても適用が可能である。
【００４３】
また、スキャナやバーコードリーダーのようなデータ取得が可能な装置を使うという応用も可能である。
【００４４】
以上説明したように、本実施形態によれば、認証時におけるＰＩＮコード入力を指をかざすか、圧力センサー同士を押し付けあうだけで済ませることが出来るため、わざわざテンキーのようなもので数桁の数値を入力するよりも遥かに認証にかかる時間を短縮することができる。
【００４５】
また、ＰＩＮとして入力される値が、テンキーで入力する値よりも複雑になるため、セキュリティ向上する。
【００４６】
また、生体情報取得装置や圧力センサーを利用することで、ＰＩＮコードを入力させるようなテンキーを装置に実装する必要が無いため、小型装置への適用が簡単となる。
【図面の簡単な説明】
【００４７】
【図１】本実施形態におけるオーディオプレーヤとワイヤレスヘッドホンのシステム構成を示す概念図。
【図２】本実施形態におけるワイヤレスヘッドホンの概念図。
【図３】オーディオプレーヤの概念図。
【図４】ワイヤレスヘッドホンのシステム構成図。
【図５】オーディオプレーヤのシステム構成図。
【図６】Bluetooth接続時の認証シーケンス図。
【図７】生体情報取得を行う場合の概念図。
【図８】生体情報取得処理のフローチャート。
【図９】生体情報取得部を圧力センサー部に置き換えた場合の動作例を示す図である
【図１０】圧力センサーを用いた場合の接続時の認証処理シーケンス図。
【図１１】圧力値取得処理のフロー図
【符号の説明】
【００４８】
１…ワイヤレスヘッドホン、２…オーディオプレーヤ、１０１，１０２…スピーカユニット、１０３…ヘッドバンド、１０４…アンテナ、１０５…入力部、１０６…生体情報取得部、１０７…表示部、１２０…アンテナ、１２１…ヘッドホン端子、１２２…表示部、１２３…入力部、１３０…生体情報取得部。
【図１】
2007102373.tif 000003
【図２】
2007102373.tif 000004
【図３】
2007102373.tif 000005
【図４】
2007102373.tif 000006
【図５】
2007102373.tif 000007
【図６】
2007102373.tif 000008
【図７】
2007102373.tif 000009
【図８】
2007102373.tif 000010
【図９】
2007102373.tif 000011
【図１０】
2007102373.tif 000012
【図１１】
2007102373.tif 000013